(57)【特許請求の範囲】
【請求項１】
第１の発光と、前記第１の発光よりも一度の発光の開始から終了までの発光時間が長く発光強度が小さい第２の発光ができる発光手段と、
被写体の光学像を撮像して画像データを生成する撮像手段と、
前記撮像手段によって生成された画像データから被写体が寝ているか否かを判定する寝顔判定手段と、
前記発光手段による発光を伴った撮像を行う際に、前記寝顔判定手段により寝ていると判定されていない被写体を撮像する場合は前記第１の発光を行い、前記寝顔判定手段により寝ていると判定された被写体を撮像する場合は前記第２の発光を行うように前記発光手段を制御する発光制御手段と、を有することを特徴とする撮像装置。
【請求項２】
前記第１の発光は、前記発光手段の閃光発光であって、
前記第２の発光は、前記発光手段の長秒発光であることを特徴とする請求項１に記載の撮像装置。
【請求項３】
前記発光制御手段は、前記寝顔判定手段により寝ていると判定された被写体を撮像する場合、当該被写体までの距離に応じて、前記発光手段の発光強度を制御することを特徴とする請求項１又は２に記載の撮像装置。
【請求項４】
前記発光制御手段は、前記寝顔判定手段により寝ていると判定された被写体を撮像する場合であって、当該被写体までの距離が前記発光手段の前記第２の発光が届かない距離である場合は、前記第２の発光を行わないように前記発光手段を制御することを特徴とする請求項３に記載の撮像装置。
【請求項５】
前記発光手段は、ＬＥＤ光源を備えていることを特徴とする請求項１乃至４のいずれか１項に記載の撮像装置。
【請求項６】
前記寝顔判定手段は、前記撮像手段によって生成された画像データから検出された顔に対応する被写体が一定時間以上目瞑り状態である場合に、当該顔に対応する被写体が寝ていると判定することを特徴とする請求項１乃至５のいずれか１項に記載の撮像装置。
【請求項７】
予め寝顔の特徴データを登録しておく登録手段を更に有し、
前記寝顔判定手段は、前記撮像手段によって生成された画像データから検出された顔の特徴データと前記登録手段に登録されている寝顔の特徴データとを比較することにより被写体が寝ているか否かを判定することを特徴とする請求項６に記載の撮像装置。
【請求項８】
前記発光制御手段は、前記撮像手段によって生成された画像データから複数の顔が検出された場合であって、前記寝顔判定手段により、少なくとも１つの顔に対応する被写体が寝ていると判定された場合に前記第２の発光を行うように前記発光手段を制御することを特徴とする請求項６又は７に記載の撮像装置。
【請求項９】
第１の発光と、前記第１の発光よりも一度の発光の開始から終了までの発光時間が長く発光強度が小さい第２の発光ができる発光手段と、
被写体の光学像を撮像して画像データを生成する撮像手段と、を有する撮像装置の制御方法であって、
前記撮像手段によって生成された画像データから被写体が寝ているか否かを判定する寝顔判定工程と、
前記発光手段による発光を伴った撮像を行う際に、前記寝顔判定工程により寝ていると判定されていない被写体を撮像する場合は前記第１の発光を行い、前記寝顔判定工程により寝ていると判定された被写体を撮像する場合は前記第２の発光を行うように前記発光手段を制御する発光制御工程と、を有することを特徴とする制御方法。
【請求項１０】
コンピュータを、請求項１乃至８のいずれか１項に記載の撮像装置の各手段として機能させるためのプログラム。
【請求項１１】
コンピュータを、請求項１乃至８のいずれか１項に記載の撮像装置の各手段として機能させるためのプログラムを記憶したコンピュータによる読み取りが可能な記憶媒体。
【発明の詳細な説明】
【技術分野】
【０００１】
本発明は、ストロボ撮影における発光制御に関する。
【背景技術】
【０００２】
従来のカメラでは、暗い被写体を明るくするためにストロボ（キセノン（Ｘｅ）管）などの発光手段を使用して撮影を行っていた。キセノン管の特徴の一つとして瞬間的に強い光（大きい光量）が発光できることが挙げられる。一方で、被写体の顔検出を行って顔の露出が適正となるように発光手段の発光量を制御する技術も提案されている（例えば、特許文献１参照）。
【先行技術文献】
【特許文献】
【０００３】
【特許文献１】特開２００９−０８１６０７号公報
【発明の概要】
【発明が解決しようとする課題】
【０００４】
しかしながら、従来のストロボ発光制御では、瞬間的に強い光（大きい光量）が発光されるため、寝ている被写体を撮影したい場合（例えば、赤ちゃんやペットの寝顔を撮影したい場合）、被写体を起こしてしまう可能性がある。つまり、従来のストロボ発光制御は寝ている被写体の撮影には不適切な場合があり、寝ている被写体を撮影する際には、従来とは異なったストロボ発光制御が必要となる。
【０００５】
本発明は、上記課題に鑑みてなされ、その目的は、被写体が寝ているか否かを判定し、寝ている被写体を起こさないように発光手段の発光量及び発光時間を適切に制御できる技術を実現することである。
【課題を解決するための手段】
【０００６】
上記課題を解決し、目的を達成するために、本発明の撮像装置は、第１の発光と、前記第１の発光よりも一度の発光の開始から終了までの発光時間が長く発光強度が小さい第２の発光ができる発光手段と、被写体の光学像を撮像して画像データを生成する撮像手段と、前記撮像手段によって生成された画像データから被写体が寝ているか否かを判定する寝顔判定手段と、前記発光手段による発光を伴った撮像を行う際に、前記寝顔判定手段により寝ていると判定されていない被写体を撮像する場合は前記第１の発光を行い、前記寝顔判定手段により寝ていると判定された被写体を撮像する場合は前記第２の発光を行うように前記発光手段を制御する発光制御手段と、を有することを特徴とする。
【発明の効果】
【０００７】
本発明によれば、被写体が寝ているか否かを判定し、寝ている被写体を起こさないように発光手段の発光量及び発光時間を適切に制御できる。
【図面の簡単な説明】
【０００８】
【図１】本実施形態に係る撮像装置の構成を示すブロック図。
【図２】本実施形態の撮像装置による画像撮影動作を示すフローチャート。
【発明を実施するための形態】
【０００９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１０】
以下、本発明の撮像装置をデジタルスチルカメラに適用した例を説明するが、これに限られず、ストロボ撮影機能を備える他の電子機器に適用しても良い。
【００１１】
＜装置構成＞まず、図１を参照して、本実施形態の撮像装置の主要な構成について説明する。
【００１２】
図１において、本実施形態の撮像装置１００はストロボ発光を伴う画像撮影に特徴を有する。１０は撮影レンズである。１２は絞り機能を備えるシャッターである。１４は被写体の光学像を電気信号に変換する撮像素子である。１６はＡ／Ｄ変換器であり、撮像素子１４のアナログ信号出力をデジタル信号に変換する。
【００１３】
１８はタイミング発生回路であり、撮像素子１４、Ａ／Ｄ変換器１６、Ｄ／Ａ変換器２６にクロック信号や制御信号を供給するもので、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。また、画像処理回路２０では、撮像により生成された画像データを用いて所定の演算処理を行って、その演算結果をシステム制御回路５０に供給する。
【００１４】
システム制御回路５０は、その演算結果に基づいて、露光制御部４０、焦点調節部４２を制御して、ＴＴＬ（スルー・ザ・レンズ）方式のＡＦ（オートフォーカス）処理、ＡＥ（自動露出）処理、ＥＦ（フラッシュプリ発光）処理を実現する。さらに、画像処理回路２０では、撮像により生成された画像データを用いてＴＴＬ方式のＡＷＢ（オートホワイトバランス）処理も行う。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力されるデータは、画像処理回路２０を介してメモリ制御回路２２に供給され、或いは直接メモリ制御回路２２に供給され、これにより、画像表示メモリ２４或いはメモリ３０に書き込まれる。
【００１６】
２４は画像表示メモリである。２６はＤ／Ａ変換器である。２８はＴＦＴ−ＬＣＤ等からなる画像表示部である。画像表示メモリ２４に書き込まれた表示用の画像データはＤ／Ａ変換器２６を介して画像表示部２８に供給され、これにより画像表示部２８に画像が表示される。画像表示部２８に撮像に係る画像を逐次表示することにより、電子ファインダ機能を実現することができる。また、画像表示部２８を用いて、再生表示機能、各種表示機能を利用することができる。また、画像表示部２８は、システム制御回路５０の指示により任意に表示をオン／オフすることが可能であり、表示をオフにした場合は、撮像装置１００の電力消費を大幅に低減することができる。
【００１７】
３０はメモリであり、撮影した静止画像や動画像を格納する。メモリ３０は、所定枚数の静止画像や所定時間の動画像を格納するのに十分な記憶量を備えている。このメモリ３０を利用することにより、複数枚の静止画像を連続して撮影する連写撮影やパノラマ撮影の場合においても、高速に大量の画像を保存することができる。また、メモリ３０はシステム制御回路５０の作業領域としても利用され得る。
【００１８】
３２は圧縮・伸長回路であり、適応離散コサイン変換（ＡＤＣＴ）等により画像データを圧縮し又は伸長する。圧縮・伸長回路３２では、メモリ３０に格納された画像を読み込んで圧縮処理或いは伸長処理を行い、処理を終えたデータをメモリ３０に書き込む。
【００１９】
４０は絞り機能を備えるシャッター１２を制御する露光制御部であり、ストロボ４８と連携してフラッシュ調光を行うこともできる。４２は撮影レンズ１０のフォーカシングを制御する焦点調節部である。露光制御部４０及び焦点調節部４２は、撮像により生成された画像データを画像処理回路２０が演算した演算結果に基づいて、システム制御回路５０によって制御される。これにより、ＴＴＬ方式の露光制御及び焦点調節が実現される。４４は撮影レンズ１０のズーミングを制御するズーム制御部である。
【００２０】
４６はバリア（保護部）１０２の動作を制御するバリア制御部である。
【００２１】
ストロボ４８は微小長秒発光及び微小発光が可能なＬＥＤ光源を備え、システム制御回路５０からの制御信号に応じた発光強度及び発光時間で発光する。また、ストロボ４８は、本発光においては通常時の発光強度及び発光時間の閃光発光と、通常時より発光強度が小さくかつ発光時間が長い微小長秒発光とが制御可能であり、また本発光前のプリ発光時も同様に通常時の調光用発光と微小発光とが制御可能である。更に、ストロボ４８は、被写体を明るく照らしてピントを合いやすくするためのＡＦ補助光の投光機能を有する。なお、ストロボ４８は、単一でもよいし、閃光発光用にキセノン管、微小長秒発光用にＬＥＤなどのように光源を複数設け、本発光時にそれぞれを切り替えて制御してもよい。ここで、微小長秒発光及び微小発光とは、ストロボ発光を伴う画像撮影において、トータル発光量（積分量）は変化させずに発光時間を変える、つまり発光時間が長いときは発光強度の小さい（弱い）光、発光時間が短いときは発光強度の大きい（強い）光となるように発光量を制御する。これにより、発光時間が長くなる分、被写体には発光強度の小さい光が照らされるので、例えば、赤ちゃんやペットの寝顔を撮影したい場合に起こしてしまわないように画像の撮影ができる。
【００２２】
５０はシステム制御回路であり、撮像装置１００全体を制御する。５２はメモリであり、システム制御回路５０の動作用の定数、変数、プログラム等を記憶する。また、メモリ５２はＡＥで用いるプログラム線図も格納している。プログラム線図は、露出値に対する絞り開口径とシャッター速度の制御値との関係を定義したテーブルである。
【００２３】
５４は液晶表示装置等の表示部であり、システム制御回路５０によるプログラムの実行に応じて、文字、画像等を用いて動作状態やメッセージ等を表示する。表示部５４は、撮像装置１００の操作部近辺の視認し易い位置に単数或いは複数箇所設置され、例えばＬＣＤやＬＥＤ等の組み合わせにより構成されている。また、表示部５４は、その一部が光学ファインダ１０４内に設置されている。
【００２４】
表示部５４の表示内容のうち、ＬＣＤ等で表示するものとしては、シングルショット／連写撮影表示、セルフタイマー表示、圧縮率表示、記録画素数表示、記録枚数表示、残撮影可能枚数表示、シャッタースピード表示、絞り値表示等がある。加えて、露出補正表示、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示等がある。また、表示部５４の表示内容のうち、光学ファインダ１０４内に表示するものとしては、合焦表示、手振れ警告表示、フラッシュ充電表示、シャッタースピード表示、絞り値表示、露出補正表示等がある。
【００２５】
５６は電気的に消去・記録可能な不揮発性メモリであり、例えばＥＥＰＲＯＭ等で構成される。
【００２６】
６０、６２、６４、６６は、ユーザがシステム制御回路５０へ各種動作を指示するための操作部であり、例えばスイッチやダイヤル、タッチパネル、視線検知によるポインティング、音声認識装置等の単数或いは複数の組み合わせで構成される。具体的に説明すると、６０はモードダイヤルスイッチであり、電源オフ、プログラムＡＥモードなどの自動露出モード、全自動モード、マニュアル露出モード、寝顔撮影モード、パノラマ撮影モード、再生モード、マルチ画面再生・消去モード、ＰＣ接続モード等の各モードを切り替えることができる。
【００２７】
６２はシャッタースイッチＳＷ１であり、不図示のシャッターボタンの操作途中でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２８】
６４はシャッタースイッチＳＷ２であり、前記シャッターボタンの操作完了でオンとなり、撮像素子１４から読み出した信号をＡ／Ｄ変換器１６、メモリ制御回路２２を介してメモリ３０に画像データを書き込む露光処理の動作を開始する。更に、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００２９】
６６は各種ボタンやタッチパネル等からなる操作部である。操作部６６には、メニューボタン、セットボタン、十字ボタンなどがある。
【００３０】
８０は電源制御部であり、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２、８４はコネクタである。８６は電源であり、アルカリ電池やリチウム電池等の一次電池やＮｉＣｄ電池やＮｉＭＨ電池、Ｌｉ電池等の二次電池、ＡＣアダプター等からなる。
【００３１】
９０及び９４はメモリカードやハードディスク等の記録媒体とのインタフェースである。９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知部である。
【００３２】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。
【００３３】
さらに、インタフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００３４】
１０２は、撮像装置１００の撮影レンズ１０を含む撮像部を覆う事により、撮像部の汚れや破損を防止するバリアである保護手段である。
【００３５】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００３６】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
１１２は通信部１１０により撮像装置１００を他の機器と接続するコネクタ或いは無線通信の場合はアンテナである。
【００３７】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。
【００３８】
２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００３９】
＜動作説明＞図２を参照して、本実施形態の撮像装置による画像撮影動作について説明する。なお、図２の処理は、システム制御回路５０が、不揮発性メモリ５６に記録されたプログラムを、ＲＡＭなどの揮発性メモリ５２のワークエリアに展開し、実行することで実現される。
【００４０】
システム制御回路５０は、モードダイヤル６０が撮影可能なモードにおいて電源８６がオンされると、各種撮影準備動作を行い、撮影準備が完了すると、画像表示部２８へスルー画像の表示を開始する。ここで、スルー画像とは、静止画を撮影する前後に構図確認などのために表示させる、撮像素子１４によって撮像された画像のことである。スルー画像表示状態においては、撮像素子１４、Ａ／Ｄ変換器１６、画像処理回路２０およびメモリ制御回路２２を介して画像表示メモリ２４に逐次書き込まれたデータは、メモリ制御回路２２およびＤ／Ａ変換器２６を介して画像表示部２８に逐次表示される。これにより、電子ビューファインダ（ＥＶＦ）機能が実現する。
【００４１】
次に、図２を参照して、スルー画像表示状態における画像撮影動作について説明する。
【００４２】
図２において、入力された画像データ（例えばスルー画像）は、まず画像処理回路２０において顔検出処理が行われる（Ｓ２０１）。顔検出処理については既知の方法でよい。例えば、入力された画像データから、鼻、口や目などの被写体の顔領域の構成要素に相当する形状を抽出し、両目の中間を通過する延長線上に鼻と口が存在する領域を検出する。そして、両目の大きさとそれらの距離から顔の大きさを推定し、鼻の中心に相当する位置を基準として、推定した大きさの領域で囲んだ領域を顔領域とする。
【００４３】
ステップＳ２０１で顔が検出できた場合は、ステップＳ２０２に進み、画像処理回路２０にて一定時間以上被写体が目瞑り状態であるか否かを判定する。複数の顔が検出された場合は、被写体の顔の大きさや位置などから画像処理回路２０が主顔と判断した顔のみを対象にしてもよいし、検出された全ての顔を対象にしてもよい。目瞑り状態か否かを判定も既知の方法でよい。例えば、入力された画像データに対して２値化処理を行い、２値化した画像から瞳孔に相当する黒領域を抽出し、黒領域の縦方向の連続画素数に基づいて目の開閉状態を判定してもよい。また上瞼と下瞼のエッジを検出し、上下瞼エッジ間の距離から目の開閉状態を判定してもよい。また、予め目瞑り状態の顔の特徴データを寝顔登録手段として不揮発性メモリ５６に登録しておき、画像処理回路２０で検出された顔の特徴データと登録済みの目瞑り状態の顔の特徴データとを比較することにより個人の目瞑り状態の顔を特定してもよい。
【００４４】
シャッタースイッチ（ＳＷ１）６２が押されるまでの間に連続して一定時間以上目瞑り状態の同一被写体が検出されると被写体が寝ていると判定され、寝顔判定ＦＬＡＧに１が代入される（ステップＳ２０３）。寝顔判定ＦＬＡＧに１が代入されているとき、表示部５４に被写体が寝ていることを示すメッセージ等を表示してもよい。一方、ステップＳ２０１で顔が検出できなかったり、ステップＳ２０２で一定時間以上被写体が目を瞑っていないと判定されたりした場合、システム制御回路５０は寝顔判定ＦＬＡＧに０を代入する（ステップＳ２０４）。
【００４５】
次に、ステップＳ２０５では、システム制御回路５０は、シャッタースイッチ（ＳＷ１）６２が押されたか否かを判定し、押されている場合はステップＳ２０６に進むが、押されていなければステップＳ２０１に戻る。
【００４６】
ステップＳ２０６では、システム制御回路５０は、シャッタースイッチ（ＳＷ２）６４が押されたか否かを判定し、押された場合はステップＳ２０７に進み、押されていない場合はステップＳ２０５に戻る。
【００４７】
ステップＳ２０７では、システム制御回路５０は、寝顔判定ＦＬＡＧが１か否かを判定する。寝顔判定ＦＬＡＧが１ではない場合（つまり、０の場合）、ストロボ４８を通常通りに調光用発光（フラッシュプリ発光）するように制御し（Ｓ２０９）、続く本発光も通常通りの閃光発光で画像を撮像する（Ｓ２１１）。
【００４８】
一方、Ｓ２０７で寝顔判定ＦＬＡＧが１の場合、ストロボ４８を調光用微小発光するように制御し（Ｓ２０８）、続く本発光では調光結果に基づいた微小長秒発光で画像を撮像する（Ｓ２１０）。ステップＳ２１０で微小長秒発光としたのは、ストロボ４８がどのような発光強度であっても最終的なトータル発光量が等しくなればよく、露光時間中に連続して発光させることによって被写体が必要とする光量を補うためである。しかし、ここでもし調光用発光時の微小発光が被写体に届かなかった場合は本発光を非発光としてもよい。
【００４９】
また、ステップＳ２０７で寝顔ＦＬＡＧが１の場合、発音素子のシャッター音や部材操作音等をオフにしてもよい。さらに、システム制御回路５０はシャッタースイッチ（ＳＷ１）６２が押されているときにＡＦ補助光を発光しないように制御してもよい。
【００５０】
なお、本実施形態において、被写体は人物に限らず、人以外の動物でも同様の処理を行えるものである。
【００５１】
以上説明したように、本実施形態によれば、寝顔を撮影する際、手間をかけずに適切な発光制御で、被写体を明るく撮影することが可能となる。
【００５２】
＜変形例＞上述した実施形態では、ステップＳ２０７で寝顔ＦＬＡＧが１の場合、ストロボ４８を調光用微小発光するように制御し（Ｓ２０８）、続く本発光では調光結果に基づいた微小長秒発光で画像を撮像した（Ｓ２１０）。これに対して、調光用発光を行わず、本発光も発光せずに画像を撮像するように制御してもよい。このようにすれば、寝顔を撮影する際、手間をかけずに、上記実施形態よりもさらに被写体を起こす心配なく撮影することが可能となる。つまり、被写体を起こさないことを最優先とした撮影モードと言える。
【００５３】
なお、上述した実施形態のようなストロボ発光制御を行うモードを寝顔撮影モードとし、ユーザが任意にモード設定できるように構成してもよい。この場合、寝顔撮影モードに設定されると、ユーザが識別可能に表示するように構成してもよい。また、撮影画角内に一人でも寝ている被写体が存在したら寝顔撮影モードにするように構成してもよい。
【００５４】
また、プリ発光後やＳＷ１のオン中に被写体が動いたり、目を開けた場合でも、寝顔撮影モードを維持するように構成してもよい。更に、微小発光時の発光強度を被写体との距離によって変化させ、被写体が所定の距離より遠い場合には寝顔撮影モードにならないように構成してもよい。
【００５５】
また、微小長秒発光する場合に発光時間が長すぎると手振れや被写体の動き等の影響により良好な画像を撮像することができなくなってしまう。そのため、発光時間を長くする代わりに撮影感度を上げたり絞りを開いたりして、発光強度を小さくすることによる露出変化を補償しても構わない。この場合、少なくとも絞り及び撮影感度の一方を制御する構成であればよい。
【００５６】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005828722.tif 000002
【図２】
0005828722.tif 000003